(57)【特許請求の範囲】
【請求項１】
あらかじめの契約が不要なサービスのデータと、あらかじめの契約が必要なサービスのデータと、ユーザを特定するための識別符号とが、主信号に多重化されて送信される放送の受信機において、
上記放送を受信する受信回路と、
表示素子と、
識別符号の用意されているメモリと、
受信された放送に、上記メモリに用意されている識別符号と一致する識別符号が含まれているかどうかを判別する回路と、
自身に貼り付けられているとともに、自身の製造番号が記されているシールと
を有し、
上記メモリに用意されている識別符号は、上記製造番号を所定のパターンで変換するとともに、上記製造番号と１対１で対応するものとされ、
上記判別する回路が、上記受信された放送に、上記メモリに用意されている識別符号の含まれていることを判別しないときには、
上記契約が不要なサービスのデータによる文字（数字、記号を含む）だけを上記表示素子に表示し、
上記判別する回路が、上記受信された放送に、上記メモリに用意されている識別符号の含まれていることを判別したときには、
上記契約が不要なサービスのデータによる文字を上記表示素子に表示するとともに、
上記契約が必要なサービスのデータによるサービスを実行する
ようにした受信機。
【請求項２】
請求項１に記載の受信機において、
上記放送はＦＭ文字多重放送である
ようにした受信機。
【発明の詳細な説明】
【０００１】
【発明の属する技術分野】
この発明は、文字多重放送を受信する受信機に関する。
【０００２】
【従来の技術】
ＦＭ放送において、「ＦＭ文字多重放送」と呼ばれ、本来の音声放送の番組と一緒に、文字情報などのデータを多重化して送信することが実現されている。そして、そのＦＭ文字多重放送を受信して、ＬＣＤ（液晶表示素子）などの表示素子に文字情報などを表示できるＦＭ受信機も市販されている。
【０００３】
このＦＭ文字多重放送は、自動車などによる移動受信が可能で、ＤＡＲＣ方式と呼ばれ、文字情報などのデジタルデータの多重化の規格は、
副搬送周波数：76ｋHz
伝送レイト  ：16ｋビット／秒
変調方式    ：ＬＭＳＫ
誤り訂正方式：（272,190）短縮化差集合巡回符号による積符号
とされている。
【０００４】
そして、文字情報などの番組サービスとしては、レベル１、２、３の区別がある。これらは、いずれも、ドット表示により文字情報などを提示（表示）するものであるが、レベル１は、ヘッダ部を含んで15.5文字×2.5行の表示が可能な受信機に向けたサービスで、情報は文字である。また、レベル２は、ヘッダ部を含んで15.5文字×8.5行の表示が可能な受信機に向けたサービスで、情報は文字および図形である。さらに、レベル３は、ＣＤ−ＲＯＭなどにより詳細な地図を表示できる受信機、すなわち、ナビゲーションシステムに向けた交通情報のサービスである。
【０００５】
そして、レベル１の番組サービスとしては、ニュース、天気予報、交通情報、エンターテインメントおよび主な補完番組などが考えられている。この場合、エンターテインメントは、占い、リスナー伝言板、クイズ、タウン情報などを提供するものである。
【０００６】
また、主な補完番組は、例えば本来の音声放送番組が音楽番組であるときに、その曲名、演奏者名、リクエストのときの電話番号・ＦＡＸ番号などのような番組の補完情報を提供するものである。なお、以下においては、主な補完番組を「番組情報」または「番組連動」と称する。
【０００７】
さらに、上記以外の番組サービスとして、緊急の必要性があるときに随時提供される「緊急情報」も考えられている。
【０００８】
図３は、上記のＦＭ文字多重放送において多重化されるＬＭＳＫ信号のフレーム構成を示す。このＬＭＳＫ信号の１フレームは272ブロックで構成され、それぞれのブロックは288ビットとされている。
【０００９】
また、１フレームは、190個のデータパケットのブロックと、82個の縦方向のパリティパケットのブロックとに分けられ、縦方向のパリティパケットのブロックは分散されて送出される。
【００１０】
そして、各ブロックの先頭には、16ビットのＢＩＣ（ブロック識別符号）が付加される。このＢＩＣとしては４種類のものが用いられ、これにより各パリティパケットが区別されるとともに、フレームの先頭が識別される。
【００１１】
また、データパケットのブロックは、ＢＩＣに続いて176ビットのデータパケットを有し、そのあとに14ビットのＣＲＣ符号が付加され、これに続いて82ビットの横方向のパリティチェック符号を有する。
【００１２】
この場合、ＣＲＣ符号は、積符号による誤り訂正後の残留誤りを検出するために付加される。また、縦方向のパリティパケットのブロックは、ＢＩＣに続いて272ビットの縦方向のパリティパケットを有するものとされている。
【００１３】
そして、各データパケットは、図４の上に示すように、32ビットのプリフィックスと、これに続く144ビットのデータブロックとから構成されている。
【００１４】
さらに、プリフィックスは、図４の下に示すように、サービス識別符号、復号識別フラグ、情報終了フラグ、更新フラグ、番組番号、ページ番号、データリンク符号、およびデータパケット番号から構成されている。
【００１５】
そして、サービス識別符号は、４ビットで、番組内容などを識別するものであり、レベル１に関しては、
１：逐次受信処理用の一般情報
２：記録受信処理用の一般情報
４：交通情報
とされている。
【００１６】
この場合、逐次受信処理とは、受信機において番組データまたはページデータの最初のデータパケットが着信し次第、提示の復号処理を開始するモードであり、記録受信処理とは、番組データまたはページデータの全データを受信記録してデータグループごとのＣＲＣ符号による誤り訂正処理を行ったのちに初めて提示の復号処理を開始するモードである。
【００１７】
そして、送信側において受信側における提示のタイミングをとる必要がある番組や、データグループの最終パケットが得られてから復号処理を始めたのでは提示が間に合わないような番組のときには、逐次受信処理とされる。
【００１８】
さらに、プリフィックスにおいて、復号識別フラグは、１ビットで、受信機の誤り訂正回路が横方向のみの復号によりデータを出力する場合には“１”とされ、横方向および縦方向の復合後にデータを出力する場合には“０”とされる。
【００１９】
そして、逐次受信処理で、復号識別フラグが“０”の場合には、受信機は、それぞれのデータパケットの先頭のＢＩＣを受信してから302パケット後のデータパケットの先頭のＢＩＣの時点で、それぞれのデータパケットについての提示のための復号処理を行うように、規定されている。
【００２０】
また、情報終了フラグは、１ビットで、あるデータグループ番号で送出するデータグループが終了する場合には“１”とされ、そうでない場合には“０”とされる。さらに、更新フラグは、２ビットで、データグループが更新されるごとに１ずつインクリメントされる。また、番組番号は８ビット、ページ番号は６ビットで、両者によりデータグループ番号が形成される。
【００２１】
さらに、番組番号は０から255までとされ、その「０」には「総目次」が割り付けられ、主な補完番組（番組情報ないし番組連動）には「254」が、緊急情報には「255」が、それぞれ割り付けられている。
【００２２】
また、ページ番号は１から62までとされ、すなわち、１番組は最大62ページとされている。そして、１ページは、１〜４つのデータグループにより構成され、１データグループは、１つまたは複数のデータブロックにより構成される。
【００２３】
さらに、データリンク符号は、２ビットで、１つのデータグループに属すべきデータを、パケット数がデータパケット番号の最大値を超えるような大容量のデータであるなどのために、最大で４つのデータグループに分割して、データリンク符号が異なる、同一のデータグループ番号により送信する場合に、各データグループの間で０→１→２→３の順にリンクさせる符号である。
【００２４】
また、データパケット番号は、８ビットで、「０」から順に割り当てられ、１つの番組におけるデータパケットの順序を示している。すなわち、そのデータパケットが、１つの番組のうちの何番目のデータパケットであるかを示している。
【００２５】
したがって、同一の番組においては、サービス識別符号および番組番号が等しくなる。あるいは、複数のデータパケットにおいて、サービス識別符号および番組番号が等しければ、そのデータパケットは、同一の番組を構成するパケットである。
【００２６】
そして、レベル１においては、１ページは、一般には15.5文字×2.5行の表示書式とされるが、15.5文字×8.5行の表示書式とすることもできる。また、この場合の文字データは、ＪＩＳコードなどによって表示する文字を指定するものとされている。
【００２７】
このレベル１に対応する受信機は、上述したように、かつ、図５に示すように、例えばＬＣＤ１として、15.5文字×2.5行の表示が可能な表示画面１ａを有するものが用いられる。ただし、その表示画面１ａのうちの下側の15.5文字×２行の部分１ｂが本文表示領域とされ、斜線を付した上側の0.5行の部分１ｃはヘッダ文表示領域とされる。
【００２８】
そして、受信機は、ステレオコンポジット信号とともにＬＭＳＫ信号を受信し、そのＬＭＳＫ信号から上記の文字データをデコードして、バッファメモリに書き込むようにされる。
【００２９】
さらに、受信機またはこれを遠隔制御するリモコン送信機には、「総目次」キーが設けられ、これを操作することによって、受信機は、図６Ａに示すように、表示画面１ａに、総目次（メインメニュー）を提示するようにされる。ただし、図６Ａは、総目次が複数ページにわたり、または8.5行の表示書式とされ、そのうちの最初の１ページ、または最初の2.5行が表示された状態である。
【００３０】
また、受信機またはリモコン送信機には、さらに「ページ（画面）送り」キーが設けられ、これを操作することによって、図６Ｂに示すように、表示画面１ａには、次のページ、または8.5行の表示書式とされたページの次の２行が表示されるようにされる。
【００３１】
そして、ユーザーが総目次の中から見ようとする項目の番号を選択決定すると、さらに、その選択決定された項目についての目次が提示されるようにされる。例えば、ユーザーが総目次の中から「３．天気予報」を選択した場合、図７に示すように、「１．今日の天気」、「２．明日の天気」というような目次が提示される。
【００３２】
さらに、ユーザーがその目次の中から見ようとする項目の番号を選択して決定すると、その決定された項目の最初のページが提示される。例えば、ユーザーが上記の目次の中から「１．今日の天気」を選択した場合には、図８に示すように、「今日の天気」についての具体的な文字情報が提示される。
【００３３】
以上は、ＦＭ文字多重放送が文字情報などの番組を提供する場合であるが、ＦＭ文字多重放送においては、さらに、ページングシステムを提供することが考えられている。このページングシステムは、あらかじめ契約しておいたユーザに対して個別に行う有料サービスであり、ページャーのようにユーザを個別に呼び出したり、ユーザに個別に、株価、競馬情報、特定のニュースなどを提供するものである。
【００３４】
そして、このページングシステムにおいては、図９Ａに示すように、各データパケットは、16ビットのプリフィックスと、これに続く160ビットのデータブロックとから構成される。
【００３５】
また、プリフィックスは、図９Ｂに示すように、サービス識別符号、復号識別フラグ、情報終了フラグ、更新フラグ、データグループ番号およびデータパケット番号から構成される。
【００３６】
そして、これらのうち、サービス識別符号およびデータグループ番号を除いたデータは、上述した文字情報などの番組サービスを提供する場合のそれと同じであるが、ページングシステムを提供する場合には、サービス識別符号は、
11：ページング情報
とされる。
【００３７】
また、データグループ番号は、４ビットで、ページングシステムにおけるデータグループを示すものであり、ページングシステムの場合には、そのデータグループは、図１０Ａに示すように、１つまたは複数のデータブロックから構成される。
【００３８】
さらに、ページングシステムの場合の情報は、セグメントと呼ばれる情報単位から構成されるもので、セグメントは一般にデータブロックよりも小さいので、図１０Ｂに示すように、１つまたは複数のセグメントにより１つのデータグループが構成され、データグループの最後は、データグループの誤り検出用の16ビットのＣＲＣ符号により終了される。なお、セグメントの長さは任意なので、最後のセグメントとＣＲＣ符号との間に、不要なビットを生じるときには、そのビットは“０”（ヌルコード）とされる。
【００３９】
そして、セグメントは、図１０Ｃに示すように、１〜４バイトのセグメントヘッダと、１バイトまたは複数バイトのセグメントデータとから構成される。また、セグメントヘッダは、図１０Ｄに示すように、４ビットのセグメント識別符号と、残りのビットによるセグメント長データとから構成される。
【００４０】
この場合、セグメント識別符号は、セグメントデータの内容を示し、セグメント長データは、セグメントデータの長さ、すなわち、バイト数を示す。そして、セグメント識別符号の値と、その示す内容とは、
13：呼び出しデータ
10：代替周波数情報
１：スクランブル情報
９：共通情報
とされている。
【００４１】
そして、セグメント識別符号の示すセグメントデータの内容が呼び出しデータの場合、セグメントデータは、あらかじめ登録してあるユーザを個別またはグループで呼び出すときに、そのユーザを指定する識別符号であり、さらに、そのユーザに情報を送るときには、その情報に関するデータも有する。
【００４２】
また、代替周波数情報の場合には、セグメントデータはページング情報用の代替周波数情報であり、スクランブル情報の場合には、セグメントデータは暗号化のためのスクランブル情報である。さらに、共通情報の場合には、セグメントデータはすべてのユーザに共通の情報である。
【００４３】
そして、セグメント識別符号の示すセグメントデータの内容が呼び出しデータの場合、その呼び出しデータ（セグメントデータ）は図１１に示すような構成とされる。
【００４４】
すなわち、ＩＤグループ識別符号は、２バイトの大きさであり、ユーザを指定する識別符号をグループ化したとき、そのグループを指定するデータである。また、ＭＩＤ（メッセージ識別符号）は、２ビットの大きさであり、識別符号にメッセージ（データ）が付随するかどうかなどを示すもので、その値と内容とは
０：識別符号にメッセージがない。
１：識別符号にメッセージがある。
２：未定義
３：未定義
とされている。
【００４５】
さらに、呼び出し件数は、この呼び出しデータにより呼び出されるユーザの人数（識別符号の数）を示し、この呼び出し件数に続いて、実際に呼び出されるユーザの識別符号が、それぞれ３バイトの大きさで列挙される。図１１においては、ＭＩＤ＝０で呼び出されるユーザがＮ人、ＭＩＤ＝１で呼び出されるユーザがＭ人いる場合である。
【００４６】
そして、ＭＩＤ＝１の場合には、そのＭ人に対してそれぞれメッセージを送ることになるが、そのメッセージごとに、その内容の種別を示すデータが、文字種である。この文字種は、２ビットの大きさであり、その値と内容とは、
０：定型メッセージ
１：数字・定型メッセージ
２：文字（８単位符号系）
３：バイナリデータ
とされている。
【００４７】
この場合、文字種が定型メッセージのときには、残る６ビットが、あらかじめ用意されている複数の定型のメッセージのうちの１つを選択するデータとされ、メッセージはなしとされる。
【００４８】
また、文字種が数字・定型メッセージのときには、数字および数種類の記号が４ビットのコードで表現され、４ビット単位のメッセージで送られる。さらに、文字種が文字のときには、主として、漢字などの文字がメッセージとして送られ、バイナリデータのときには、バイナリデータがメッセージとして送られる。
【００４９】
そして、この文字種ごとに、メッセージのデータ長を示すデータが続き、さらに、実際のメッセージが続く。
【００５０】
したがって、以下のようにすれば、ユーザは個別に情報のサービスを受けることができる。すなわち、ユーザの所有するＦＭ受信機に、上記した識別符号の書き込まれたＲＯＭを設けておき、呼び出しデータが送信されてきたとき、その呼び出しデータに含まれる識別符号と、ＲＯＭに書き込まれている識別符号とを比較する。そして、比較結果が一致しないときには、何もしないが、一致したときには、ＭＩＤあるいはメッセージにしたがって、対応する処理を実行する。
【００５１】
このようにすれば、
・ユーザを個別に呼び出す。
・ユーザに個別にメッセージを送る。例えば、あらかじめ契約したユーザに
は、株価、競馬情報、特定のニュースなどの情報を提供する。
などのサービスを実現することができる。
【００５２】
【発明が解決しようとする課題】
上述のように、ＦＭ文字放送のページングシステムを使用すれば、あらかじめ契約しておいたユーザは、個別に情報のサービスを受けることができる。
【００５３】
しかし、ＦＭ受信機のＲＯＭに識別符号を書き込むためには、ユーザは、ＲＯＭライタを備えた情報サービスの代理店などに、そのＦＭ受信機を持参するか、送るかする必要がある。
【００５４】
また、その代理店などにおいては、ＲＯＭライタを揃えておく必要がある。さらに、そのＲＯＭライタを扱える人を養成する必要もある。また、ＦＭ受信機には、内蔵されたＲＯＭに識別符号を書き込むため、その接続用のコネクタを設ける必要がある。そして、この結果、ＦＭ受信機を、防水・防滴構造にすることが困難になってしまう。
【００５５】
この発明は、以上のような問題点を解決しようとするものである。
【００５６】
【課題を解決するための手段】
この発明においては、
あらかじめの契約が不要なサービスのデータと、あらかじめの契約が必要なサービスのデータと、ユーザを特定するための識別符号とが、主信号に多重化されて送信される放送の受信機において、
上記放送を受信する受信回路と、
表示素子と、
識別符号の用意されているメモリと、
受信された放送に、上記メモリに用意されている識別符号と一致する識別符号が含まれているかどうかを判別する回路と、
自身に貼り付けられているとともに、自身の製造番号が記されているシールと
を有し、
上記メモリに用意されている識別符号は、上記製造番号を所定のパターンで変換するとともに、上記製造番号と１対１で対応するものとされ、
上記判別する回路が、上記受信された放送に、上記メモリに用意されている識別符号の含まれていることを判別しないときには、
上記契約が不要なサービスのデータによる文字（数字、記号を含む）だけを上記表示素子に表示し、
上記判別する回路が、上記受信された放送に、上記メモリに用意されている識別符号の含まれていることを判別したときには、
上記契約が不要なサービスのデータによる文字を上記表示素子に表示するとともに、
上記契約が必要なサービスのデータによるサービスを実行する
ようにした受信機
とするものである。
【００５７】
【発明の実施の形態】
図１は、この発明を、レベル１の受信能力を有するＦＭ受信機に適用した場合である。
【００５８】
すなわち、アンテナ１１により受信されたＦＭ信号が、シンセサイザ方式のチューナ回路１２に供給されて目的とする周波数の放送局が選局されるとともに、そのＦＭ信号が中間周波信号に変換され、この中間周波信号が中間周波アンプ１３を通じてＦＭ復調回路１４に供給される。
【００５９】
こうして、復調回路１４からは、ステレオの左および右チャンネルのオーディオ信号Ｌ、Ｒの加算信号（Ｌ＋Ｒ）と、その差信号（Ｌ−Ｒ）により平衡変調されたＤＳＢ信号と、パイロット信号と、上述したＦＭ文字多重放送におけるＬＭＳＫ信号との周波数多重化信号が取り出される。
【００６０】
そして、この周波数多重化信号がステレオ復調回路１５に供給され、加算信号（Ｌ＋Ｒ）およびＤＳＢ信号からオーディオ信号Ｌ、Ｒが復調され、これら信号Ｌ、Ｒがアンプ１６Ｌ、１６Ｒを通じて左および右チャンネルのスピーカ１７Ｌ、１７Ｒに供給される。
【００６１】
さらに、このＦＭ受信機には、チューナ回路１２における選局およびＦＭ文字多重放送による文字の表示を実行するため、マイクロコンピュータ２０が設けられている。
【００６２】
すなわち、このマイクロコンピュータ２０は、プログラムを実行するためのＣＰＵ２１と、そのプログラム用のＲＯＭ２２と、ワークエリア用のＲＡＭ２３と、ＦＭ文字多重放送のデータの受信バッファ用のＲＡＭ２４と、識別符号用のＲＯＭ２５とを有する。
【００６３】
この場合、ＲＯＭ２２には、各種のルーチンおよび定型メッセージを表示するための文字列のデータテーブルが用意されているとともに、ページングシステムを使用するためのルーチンも用意される。また、ＲＯＭ２５は、上述したページングシステムによる情報サービスを受けるときに必要な識別符号USRIDが書き込まれている。そして、メモリ２２〜２５はシステムバス２９を通じてＣＰＵ２１に接続される。
【００６４】
さらに、バス２９には、ポート２６〜２８およびインターフェイス回路３４が接続され、ポート２５からチューナ回路１２に選局用のデータが供給され、その選局が実行される。また、復調回路１４からの復調信号が、デコーダ回路４１に供給されてＬＭＳＫ信号からＦＭ文字多重放送におけるデータがデコードおよびエラー訂正されて取り出され、このデータがポート２７を通じてマイクロコンピュータ２０に供給される。
【００６５】
また、ポート２８には、ビープ音信号の形成回路４３が接続され、そのビープ音信号がアンプ１６Ｌ、１６Ｒに供給される。さらに、インターフェイス回路３４には、ノンロックタイプのプッシュスイッチにより構成された各種の操作キー４２が接続され、そのキー出力がマイクロコンピュータ２０に取り込まれる。こうして、キー４２のうちの任意のキーを押すと、その押されたキーがＣＰＵ２１により判別され、その押されたキーに対応する処理が実行される。
【００６６】
さらに、バス２９には、ＦＭ文字多重放送により送られてきた文字データを表示データに変換するためのフォントデータを有するフォントＲＯＭ（キャラクタジェネレータ）３１が接続されるとともに、表示用のメモリ３２と、ディスプレイコントローラ３３とが接続され、このコントローラ３３に、表示素子として、例えばＬＣＤ５０が接続されている。
【００６７】
この場合、ＬＣＤ５０は、例えば上述したＬＣＤ１と同様に構成され、15.5文字×2.5行の表示能力を有するものとされている。そして、メモリ３２は、ＬＣＤ５０のドット表示方式に対応してビットマップ方式とされ、１画面分の容量を有する。
【００６８】
さらに、このＦＭ受信機のキャビネットの裏面、あるいは電源用の電池の収納部など、すなわち、このＦＭ受信機のうち、ユーザが容易に見ることができるが、外観を損なわない位置に、例えば図２に示すように、シール６０が貼られる。そして、このシール６０には、ＲＯＭ２５に書き込まれている識別符号USRIDと１対１で対応する所定の英数字（数字、アルファベットあるいは両者の組み合わせ）からなるキーワード６１が、例えば印刷により表示されている。
【００６９】
なお、この場合、キーワード６１は、識別符号USRIDを直接に文字化したものではなく、識別符号USRIDに対してある種のエンコード処理あるいは暗号化したものが好ましい。
【００７０】
また、ここで、ＲＯＭ２５の識別符号USRIDについて考えると、この識別符号USRIDは、このＦＭ受信機に固有のデータであり、他のＦＭ受信機の識別符号と重複することはない。一方、この種のＦＭ受信機には、メーカにおいて、１台ごとに製造番号（シリアルナンバ）が与えられ、その製造番号がシールに印刷されて受信機の一部に貼り付けられている。
【００７１】
したがって、シール６０のキーワード６１は、このＦＭ受信機の製造番号を示す文字とすることができる。そして、この製造番号を、所定のパターンで変換して識別符号USRIDを得、これをＲＯＭ２５に識別符号USRIDとして書き込んでおくことができる。あるいは、逆に、ＲＯＭ２５の識別符号USRIDを変換してキーワード６１とし、これをシール６０に製造番号として表示することができる。
【００７２】
このような構成において、ＦＭ文字多重放送が受信され、そのエラー訂正の行われたデータが、デコーダ回路４１からマイクロコンピュータ２０に供給されると、例えばプリフィックスのサービス識別符号をチェックすることにより、そのデータが、一般の番組のものであるか、個別の情報サービス（ページングサービス）のものであるかが判別される。そして、この判別結果にしたがって、以下のような処理が実行される。
【００７３】
〔１〕  判別結果が一般の番組のデータの場合
この場合には、受信したデータのうち、キー４２により選択した番組のデータがＲＡＭ２４に書き込まれて保持される。また、ＲＡＭ２４に保持されているデータがＣＰＵ２１により読み出され、この読み出されたデータが、ＲＯＭ３１のフォントデータを使用して表示データに変換され、この表示データがメモリ３２に書き込まれる。
【００７４】
また、このとき、コントローラ３３により、メモリ３２の表示データが繰り返し読み出されるとともに、表示信号に変換されてＬＣＤ５０に供給される。したがって、ＬＣＤ５０には、ＣＰＵ２１がＲＡＭ２４から読み出したデータによる文字、すなわち、キー４２により選択した番組が表示される。
【００７５】
〔２〕  判別結果がページングシステムによる情報サービスのデータの場合
この場合には、ＲＯＭ２５に書き込まれている識別符号USRIDが、その情報サービスの呼び出しデータに含まれる識別符号と比較照合され、その結果にしたがって次の〔２−１〕あるいは〔２−２〕の処理が実行される。
【００７６】
〔２−１〕  ＲＯＭ２５の識別符号USRIDが、呼び出しデータの識別符号のどれとも一致しないとき
呼び出しデータに対して何も処理されない。したがって、情報サービスが行われていても、その対象となっていないユーザに対しては、何も行わない。
【００７７】
〔２−２〕  ＲＯＭ２５の識別符号USRIDが、呼び出しデータの識別符号のどれかと一致したとき
その一致した識別符号に対応するＭＩＤがチェックされる。そして、ＭＩＤ＝０のときには、メッセージがないときなので、ポート２８を通じて形成回路４３がドライブされてビープ音信号が形成され、このビープ音信号がアンプ１６Ｌ、１６Ｒに供給され、スピーカ１７Ｌ、１７Ｒからビープ音が出力される。なお、キー４２のうちの所定のキーを押すと、そのビープ音信号は形成されなくなる。
【００７８】
したがって、ユーザは、呼び出しのあったことを知ることができる。すなわち、このＦＭ受信機をページャーとして使用することができる。
【００７９】
また、ＭＩＤ＝１のときには、メッセージがあるときなので、呼び出しデータの中から該当するメッセージが取り出され、ＲＡＭ２４に保持される。また、このＲＡＭ２４に保持されたメッセージが、文字種の示す値にしたがって対応する表示データとされ、ＬＣＤ５０にそのメッセージおよび文字種にしたがった文字などが表示される。
【００８０】
例えば、文字種が定型メッセージを示しているときには、ＲＯＭ２２のデータテーブルを参照することにより、メッセージが対応する文字列（文章）に変換されるとともに、さらに表示データに変換されてＬＣＤ５０に供給され、ＬＣＤ５０には定型メッセージが表示される。また、文字種が文字を示しているときには、メッセージがそのまま表示データに変換されてＬＣＤ５０に供給され、ＬＣＤ５０にはメッセージが文字として表示される。例えば、株価や競馬情報が表示される。
【００８１】
こうして、このＦＭ受信機においては、放送局側（ＦＭ文字多重放送による情報サービスの事業者）との契約のない場合には、情報サービスを受けることができないが、契約のある場合には、各種の情報サービスを受けることができる。
【００８２】
そして、このＦＭ受信機を購入したユーザは、購入当初は、ＲＯＭ２５に識別符号USRIDが書き込まれていても、放送局側との契約がなく、識別符号が送信されてこないので、情報サービスを受けることができない。すなわち、放送局側から見れば、ＲＯＭ２５に識別符号USRIDが書き込まれていても、その識別符号を送信しないので、情報サービスを無料で使用されることがない。
【００８３】
〔３〕  ユーザが新規に情報サービスを受ける場合
この場合には、シール６０に表示されているキーワード６１、すなわち、製造番号（および、サービスにランクがあるときには、サービスの種類）を、放送局側に連絡する。すると、放送局側は、その連絡されてきたキーワード６１を識別符号USRIDに変換し、これを呼び出しデータに含ませて送信する。したがって、ユーザは、以後、提供されている情報サービスを受けることができるようになる。
【００８４】
こうして、このＦＭ受信機においては、ＲＯＭ２５に識別符号USRIDをあらかじめ用意しておくとともに、その識別符号USRIDに１対１で対応するキーワード６１を、受信機に用意しておくようにしたので、そのキーワード６１を放送局側に連絡するだけで、情報サービスを受けることができるようになる。
【００８５】
したがって、ＲＯＭに識別符号を書き込むために、すなわち、情報サービスを受けることができるようにするために、ユーザが代理店などにＦＭ受信機を持参したり、送る必要がなくなる。また、ユーザが情報サービスの使用を思い立ったら、簡単な手続きを行うだけで、情報サービスを早期に使用できるようになる。
【００８６】
さらに、代理店などにおいても、ＲＯＭライタを揃えておく必要がない。また、そのＲＯＭライタを扱える人を養成する必要もない。そして、これらのことにより、経費の節減ができる。
【００８７】
また、ＦＭ受信機に、ＲＯＭ２５に識別符号を書き込むときの接続用のコネクタを設ける必要がないので、コストを低減することができる。さらに、コネクタが不要なので、ＦＭ受信機を、防水・防滴構造にすることが容易になる。
【００８８】
さらに、ＦＭ受信機が最初から識別符号USRIDを有しているので、ユーザから情報サービスの使用の契約があったとき、その識別符号USRIDおよびメッセージを使用して新しい識別符号を送り、この新しい識別符号を正式な識別符号としてＲＯＭ２５に書き込むこともできる。あるいは、特定のＦＭ受信機に対して、文字多重放送を通じてデータやプログラムを送ることができ、ＦＭ受信機に必要とされるデータや機能などを変更することができる。
【００９０】
【発明の効果】
この発明によれば、受信機の製造番号を放送局側に連絡するだけで、情報サービスを受けることができるようになり、代理店などにＦＭ受信機を持参したり、送る必要がなくなる。また、情報サービスを早期に、簡単に使用できるようになる。さらに、代理店などにおいては、経費の節減ができる。
【００９１】
また、ＦＭ受信機のコストを低減することができるとともに、防水・防滴構造にすることが容易になる。さらに、特定のＦＭ受信機に対して、文字多重放送を通じてデータやプログラムを送ることができ、ＦＭ受信機の機能などを変更することができる。
【図面の簡単な説明】
【図１】この発明の一形態を示す系統図である。
【図２】この発明の一形態を示す正面図である。
【図３】信号フォーマットを説明するための図である。
【図４】信号フォーマットを説明するための図である。
【図５】表示画面を説明するための図である。
【図６】表示画面を説明するための図である。
【図７】表示画面を説明するための図である。
【図８】表示画面を説明するための図である。
【図９】信号フォーマットを説明するための図である。
【図１０】信号フォーマットを説明するための図である。
【図１１】信号フォーマットを説明するための図である。
【符号の説明】
１２  チューナ回路
１３  中間周波アンプ
１４  ＦＭ復調回路
１５  ステレオ復調回路
２０  マイクロコンピュータ
２１  ＣＰＵ
２２  ＲＯＭ（プログラム用）
２３  ＲＡＭ（ワークエリア用）
２４  ＲＡＭ（受信バッファ用）
２５  ＲＯＭ（識別符号用）
３１  フォントＲＯＭ（キャラクタジェネレータ）
３２  メモリ（表示用）
３３  ディスプレイコントローラ
４１  デコーダ回路
４２  操作キー
４３  形成回路（ビープ音信号用）
５０  表示素子
６０  シール
６１  キーワード
USRID  識別符号
【図１】
0003716872.tif 000002
【図２】
0003716872.tif 000003
【図３】
0003716872.tif 000004
【図４】
0003716872.tif 000005
【図５】
0003716872.tif 000006
【図６】
0003716872.tif 000007
【図７】
0003716872.tif 000008
【図８】
0003716872.tif 000009
【図９】
0003716872.tif 000010
【図１０】
0003716872.tif 000011
【図１１】
0003716872.tif 000012